(57)【要約】【課題】各プロテクタに安定した押圧力を加えることでプロテクタのワイヤハーネスへの設置を的確に行うことができるプロテクタ合体装置を提供する。【解決手段】お互いの突合せ面同士が間隔を置いて対向配置された合体前の第１のプロテクタ構成体３と第２のプロテクタ構成体５とに押圧力を作用させ、第１のプロテクタ構成体３と第２のプロテクタ構成体５とを合体させるプロテクタ合体装置１において、第１のプロテクタ構成体３を保持する基台１１と、基台１１の離間位置に配置され、第１のプロテクタ構成体３に対して係合前の第２のプロテクタ構成体５を押圧する押圧部１７と、押圧部１７を基台１１に対して離間位置から平行移動させる平行移動機構１０とを備えたプロテクタ合体装置１である。【選択図】図３
2015104271.tif 000002
【特許請求の範囲】
【請求項１】
お互いの突合せ面同士が間隔を置いて対向配置された合体前の第１のプロテクタ構成体と第２のプロテクタ構成体とに押圧力を作用させ、前記第１のプロテクタ構成体と前記第２のプロテクタ構成体とを合体させるプロテクタ合体装置において、
前記第１のプロテクタ構成体を保持する基台と、
前記基台の離間位置に配置され、前記第１のプロテクタ構成体に対して係合前の前記第２のプロテクタ構成体を押圧する押圧部と、
前記押圧部を前記基台に対して前記離間位置から平行移動させる平行移動機構とを備えたことを特徴とするプロテクタ合体装置。
【請求項２】
請求項１に記載のプロテクタ合体装置において、
前記平行移動機構は、前記押圧部を前記基台に対して平行な姿勢でのみ移動を許容するガイドロッド部と、操作部の回転操作力を前記押圧部の前記基台側への押圧力に変換するリンク機構とを備えたことを特徴とするプロテクタ合体装置。
【請求項３】
請求項１または請求項２に記載のプロテクタ合体装置において、
前記押圧部は、前記基台の真上より外れた待機位置と前記基台の真上である押圧位置との間で水平移動させる水平移動機構を有することを特徴とするプロテクタ合体装置。
【請求項４】
請求項３に記載のプロテクタ合体装置において、
前記押圧位置では前記押圧部の前記基台側への移動を許容し、前記押圧位置以外の位置では、前記押圧部の前記基台側への移動を阻止する干渉壁部を有することを特徴とするプロテクタ合体装置。
【発明の詳細な説明】
【技術分野】
【０００１】
本発明は、プロテクタ合体装置に係り、たとえば、ワイヤハーネスにプロテクタを設置するものに関する。
【背景技術】
【０００２】
従来、図６で示すようなプロテクタ合体装置３０１が知られている（たとえば、特許文献１参照）。
【０００３】
プロテクタ合体装置３０１は、基台３０３と、この基台３０３に一体的に設けられているプロテクタ載置台３０５と、ヒンジ３０７を介して基台３０３に回動自在に設けられているレバー３０９とを備えて構成されている。
【０００４】
プロテクタ３１１は、図５で示すように、第１のプロテクタ構成体３１３と第２のプロテクタ構成体３１５とに分割されている。
【０００５】
ワイヤハーネス３１７（図示せず）にプロテクタ３１１を設置するときには、第１のプロテクタ構成体３１３とワイヤハーネスと第１のプロテクタ構成体３１３に設置されていない第２のプロテクタ構成体３１５とをプロテクタ載置台３０５に載置し（図６（ａ）参照）、続いて、図６（ｂ）で示すように、レバー３０９を回動することで第２のプロテクタ構成体３１５を下方に押圧し、第２のプロテクタ構成体３１５を第１のプロテクタ構成体３１３に設置している。
【先行技術文献】
【特許文献】
【０００６】
【特許文献１】特開２００８―２８９２０６号公報
【発明の概要】
【発明が解決しようとする課題】
【０００７】
ところで、プロテクタ合体装置３０１では、ワイヤハーネス３１７にプロテクタ３１１を設置するときにレバー３０９で第２のプロテクタ構成体３１５を押圧するので、偏った押圧力が第２のプロテクタ構成体３１５にかかってしまい、押圧力が安定しないという問題がある。
【０００８】
すなわち、図６（ａ）から理解されるように、斜めになっているレバー３０９によって第２のプロテクタ構成体３１５の角部が押されるので、押圧力が偏ってしまう。また、押圧力の方向がレバー３０９の回動角度によって変化してしまい押圧力が安定しない。
【０００９】
なお、プロテクタ合体装置３０１では、レバー３０９による押圧で第２のプロテクタ構成体３１５の角部に傷がつくことを防止するために、レバー３０９にゴム等の緩衝材を設ける場合がある。
【００１０】
本発明は、上記問題点に鑑みてなされたものであり、第１のプロテクタ構成体と第２のプロテクタ構成体とを備えて構成されたプロテクタをワイヤハーネスに設置するときに使用されるプロテクタ合体装置において、各プロテクタに安定した押圧力を加えることでプロテクタのワイヤハーネスへの設置を的確に行うことができるものを提供することを目的とする。
【課題を解決するための手段】
【００１１】
請求項１に記載の発明は、お互いの突合せ面同士が間隔を置いて対向配置された合体前の第１のプロテクタ構成体と第２のプロテクタ構成体とに押圧力を作用させ、前記第１のプロテクタ構成体と前記第２のプロテクタ構成体とを合体させるプロテクタ合体装置において、前記第１のプロテクタ構成体を保持する基台と、前記基台の離間位置に配置され、前記第１のプロテクタ構成体に対して係合前の前記第２のプロテクタ構成体を押圧する押圧部と、前記押圧部を前記基台に対して前記離間位置から平行移動させる平行移動機構とを備えたプロテクタ合体装置である。
【００１２】
請求項２に記載の発明は、請求項１に記載のプロテクタ合体装置において、前記平行移動機構は、前記押圧部を前記基台に対して平行な姿勢でのみ移動を許容するガイドロッド部と、操作部の回転操作力を前記押圧部の前記基台側への押圧力に変換するリンク機構とを備えたプロテクタ合体装置である。
【００１３】
請求項３に記載の発明は、請求項１または請求項２に記載のプロテクタ合体装置において、前記押圧部は、前記基台の真上より外れた待機位置と前記基台の真上である押圧位置との間で水平移動させる水平移動機構を有するプロテクタ合体装置である。
【００１４】
請求項４に記載の発明は、請求項３に記載のプロテクタ合体装置において、前記押圧位置では前記押圧部の前記基台側への移動を許容し、前記押圧位置以外の位置では、前記押圧部の前記基台側への移動を阻止する干渉壁部を有するプロテクタ合体装置である。
【発明の効果】
【００１５】
本発明によれば、第１のプロテクタ構成体と第２のプロテクタ構成体とを備えて構成されたプロテクタをワイヤハーネスに設置するときに使用されるプロテクタ合体装置において、各プロテクタに安定した押圧力を加えることでプロテクタのワイヤハーネスへの設置を的確に行うことができるものを提供することができるという効果を奏する。
【図面の簡単な説明】
【００１６】
【図１】本発明の実施形態に係るプロテクタ合体装置の概略構成を示す斜視図であり、ブロックが待機位置にある状態を示した図である。
【図２】本発明の実施形態に係るプロテクタ合体装置の概略構成を示す斜視図であり、ブロックがプロテクタを設置した位置にある状態を示した図である。
【図３】図１の側面図である。
【図４】図２の側面図である。
【図５】（ａ）はワイヤハーネスにプロテクタを設置する前の状態を示す図であり、（ｂ）はワイヤハーネスにプロテクタを設置し終えた状態を示す図である。
【図６】従来のプロテクタ合体装置を示す図である。
【発明を実施するための形態】
【００１７】
本発明の実施形態に係るプロテクタ合体装置１は、第１のプロテクタ構成体３と第２のプロテクタ構成体５とを合体してプロテクタ７（図５参照）を生成するものである。第１のプロテクタ構成体３と第２のプロテクタ構成体５とが合体したプロテクタ７は、たとえば、ワイヤハーネス９に一体的に設置されている。
【００１８】
自動車等の車輌には、ワイヤハーネス９が所望の経路で配索されている。ワイヤハーネス９は、絶縁性を有する合成樹脂製のプロテクタ７により部分的に保護された状態で配索される。
【００１９】
また、プロテクタ合体装置１は、お互いの突合せ面同士が間隔を置いて対向配置された合体前の第１のプロテクタ構成体３と第２のプロテクタ構成体５とに押圧力を作用させ、第１のプロテクタ構成体３と第２のプロテクタ構成体５とをお互いに合体させるものであり、図１〜図４で示すように、基台１１と押圧部１７と平行移動機構１０とを備えて構成されている。
【００２０】
基台１１には設置部１５が設けられており、設置部１５に第１のプロテクタ構成体３が設置されることで、第１のプロテクタ構成体３が基台１１に保持されるようになっている。
【００２１】
押圧部１７は、ブロック１３に設けられており、押圧部１７（ブロック１３）は、基台１１の離間位置に配置され、第１のプロテクタ構成体３に対して係合前の第２のプロテクタ構成体５を押圧するようになっている。
【００２２】
平行移動機構１０は、押圧部１７を基台１１に対して上記離間位置から平行移動させるようになっている。
【００２３】
また、平行移動機構１０は、押圧部１７を基台１１に対して平行な姿勢でのみ移動を許容するガイドロッド部１２と、操作部１４の回転操作力を押圧部１７の基台１１側への押圧力に変換するリンク機構２７とを備えて構成されている。
【００２４】
押圧部１７は、基台１１の真上より外れた待機位置と基台１１の真上である押圧位置との間で水平移動させる水平移動機構１６とを備えて構成されている。
【００２５】
また、プロテクタ合体装置１には、上記押圧位置では押圧部１７の基台１１側への移動を許容し、押圧位置以外の位置では、押圧部１７の基台１１側への移動を阻止する干渉壁部１８が設けられている。
【００２６】
プロテクタ７のワイヤワーネス９への設置は、第１のプロテクタ構成体３に第２のプロテクタ構成体５を設置して、第１のプロテクタ構成体３と第２のプロテクタ構成体５とでワイヤワーネス９の長手方向の所定の部位を挟み込むことでなされる。プロテクタ７がワイヤワーネス９に設置された状態では、第１のプロテクタ構成体３と第２のプロテクタ構成体５とワイヤワーネス９とはお互いが一体化している。
【００２７】
プロテクタ７が設置されているワイヤハーネウス９の部位は、プロテクタ７で覆われていることによって保護されている。
【００２８】
プロテクタ７のワイヤハーネス９への設置は、次のようにしてなされる。
【００２９】
まず、第２のプロテクタ構成体設置準備状態にする。第２のプロテクタ構成体設置準備状態では、図５（ｂ）で示すように、第１のプロテクタ構成体３がワイヤハーネス９の所定の部位に配置されて第１のプロテクタ構成体３とワイヤハーネス９とがお互いに係合している。また、第２のプロテクタ構成体設置準備状態では、第２のプロテクタ構成体５が、第１のプロテクタ構成体３とワイヤハーネス９とからたとえば僅かに離れていて、第１のプロテクタ構成体３に設置されるための所定の姿勢と位置になっている。
【００３０】
第２のプロテクタ構成体設置準備状態から、第１のプロテクタ構成体３とワイヤハーネス９とに対して、第２のプロテクタ構成体５を第１のプロテクタ構成体３とワイヤハーネス９とに近づく側にたとえば直線的に移動し、第２のプロテクタ構成体５を第１のプロテクタ構成体３に一体的に設置することで、プロテクタ７（第１のプロテクタ構成体３と第２のプロテクタ構成体５）がワイヤワーネス９の所定の箇所に設置されるように構成されている。
【００３１】
ここで、説明の便宜のために、水平な所定の一方向をＸ軸方向とし、水平な所定の他の一方向であってＸ軸方向に対して直交する方向をＹ軸方向とし、Ｘ軸方向とＹ軸方向とに対して直交する方向（上下方向）をＺ軸方向とする。
【００３２】
上述した姿勢について押圧部１７を例に掲げて説明すると、押圧部１７の姿勢とは、空間内におけるＸ軸まわりＹ軸まわりおよびＺ軸まわりでの押圧部１７の回動角度をいい、姿勢が一定であるときには、押圧部１７は、Ｘ軸まわりＹ軸まわりおよびＺ軸まわりで回動
せずに停止している。
【００３３】
基台１１の設置部１５は、Ｚ軸方向に対して直交する平面状に形成されている。ブロック１３の押圧部１７も、設置部１５と平行な平面状に形成されている。
【００３４】
第１のプロテクタ構成体３には平面状の部位１９が設けられており、第２のプロテクタ構成体５にも平面状の部位２１が設けられている。
【００３５】
そして、押圧部１７で、第２のプロテクタ構成体５を、基台１１の設置部１５に設置されている第１のプロテクタ構成体３側（Ｚ軸方向下側）に押圧するときには（押圧状態では）、第１のプロテクタ構成体３の平面状の部位１９が基台１１の平面状の設置部１５に面接触しており、第２のプロテクタ構成体５の平面状の部位２１がブロック１３の平面状の押圧部１７に面接触している。
【００３６】
押圧状態をこの押圧方向から見ると、基台１１の平面状の設置部１５に面接触している第１のプロテクタ構成体３の平面状の部位１９がたとえば矩形状に形成されており、ブロック１３の平面状の押圧部１７に面接触している第２のプロテクタ構成体５の平面状の部位２１もたとえば矩形状に形成されており、第１のプロテクタ構成体３の平面状の部位１９の総てに、第２のプロテクタ構成体５の平面状の部位２１の総てが重なっている。
【００３７】
また、プロテクタ合体装置１には、ベース体２３が設けられている。基台１１はベース体２３に一体的に設けられている。ブロック１３は、平行移動機構１０を構成するガイドロッド部１２（リニアガイドベアリング２５）を介してベース体２３に支持されていることで、基台２３に対して接近しもしくは離反する方向（Ｚ軸方向）で移動自在になっている。
【００３８】
設置部１５の平面は、ブロック１３の移動方向（Ｚ軸方向）に対して直交してブロック１３の側（上側）を向いており、押圧部１７の平面は、設置部１５の平面と平行になっていて基台１１の側（下側）を向いている。
【００３９】
また、ブロック１３は、平行移動機構１０を構成するリンク機構２７を介してベース体２３に支持されており、リンク機構２７の所定の１つのメンバ（レバー）２９（操作部１４）を操作することで（レバー２９に所定の力を加えることで）、ブロック１３がリニアガイドベアリング２５でガイドされつつＺ軸方向に移動するように構成されている。
【００４０】
ところで、第１のプロテクタ構成体３の本体部３１は、矩形な平板状に形成されている。第１のプロテクタ構成体３の本体部３１の厚さ方向の一方の面（上面）には、複数の半円柱状の凹部（たとえば２つの凹部）３３が設けられている。この凹部３３には細長い円柱状のワイヤハーネス９が入り込むようになっている。２つの凹部３３は、Ｙ軸方向で所定の間隔をあけてＸ軸方向に延びている。第１のプロテクタ構成体３の本体部３１の厚さ方向の他方の面（下面）が、基台１１の設置部１５に接触する平面状の部位１９になる。
【００４１】
また、第１のプロテクタ構成体３は、係止部３５を備えて構成されている。係止部３５は、たとえば、所定形状の貫通孔２２で構成されおり、Ｘ軸方向の両端近傍であってＹ軸方向の両端で本体部３１に一体で設けられている。
【００４２】
第２のプロテクタ構成体５の本体部３７は、第１のプロテクタ構成体３の本体部３１と同様な形状に形成されており、第２のプロテクタ構成体５の本体部３７の厚さ方向の一方の面（下面）にも、複数の半円柱状の凹部（たとえば２つの凹部）３９が設けられている。この凹部３９にも細長い円柱状のワイヤハーネス９が入り込むようになっている。第２のプロテクタ構成体５の本体部３７の厚さ方向の他方の面（上面）が、ブロック１３の押圧部１７に接触する平面状の部位２１になる。
【００４３】
また、第２のプロテクタ構成体５は、被係止部４１を備えて構成されている。被係止部４１は、たとえば所定形状の係止アーム（ランス）２４で構成されおり、Ｘ軸方向の両端近傍であってＹ軸方向の両端で本体部３７に一体で設けられている。
【００４４】
また、被係止部４１は、片持ち梁状に形成されており、第２のプロテクタ構成体５の本体部３７から下方に突出している。
【００４５】
そして、第２のプロテクタ構成体５を第１のプロテクタ構成体３に設置する途中の状態では、第１のプロテクタ構成体３に対して第２のプロテクタ構成体５が下方に移動し、被係止部４１が係止部３５に係合して弾性変形し、第２のプロテクタ構成体５を第１のプロテクタ構成体３に設置し終えたときには被係止部４１が復元して被係止部４１が係止部３５に係止され、第１のプロテクタ構成体３と第２のプロテクタ構成体５とでワイヤハーネス９が所定の付勢力で挟み込まれ、プロテクタ７とワイヤハーネス９に一体的に設置されるようになっている。
【００４６】
ベース体２３は、平板状に形成されている。ベース体２３の上面であって前側の部位には、基台１１が設けられている。ベース体２３の上面であって設置部１５の後方には、水平移動機構１６を構成するガイドロッド部２０（たとえばリニアガイドベアリング４３）を介して中間支持体４５が設けられており、中間支持体４５は、Ｙ軸方向で移動自在になっている。
【００４７】
中間支持体４５には、ブロック支持体４７が一体的に設けられている。ブロック支持体４７は、中間支持体４５の上側に突出しており、ブロック支持体４７の上側部位はＹ軸方向前側に突出している。ブロック１３は、ブロック支持体４７の前側であって基台１１の上方に位置するように、リニアガイドベアリング２５を介してブロック支持体４７に支持されている。
【００４８】
これによって、ブロック１３が、Ｙ軸方向およびＺ軸方向で、基台１１（ベース体２３）に対して移動自在になっている。また、リンク機構２７は、ブロック１３の上方に設けられている。
【００４９】
さらに説明すると、水平移動機構１６によって、ブロック１３（押圧部１７）が、基台１１の真上より外れた待機位置（図１、図３で示す位置）と基台１１の真上である押圧位置（図２、図４で示す位置）との間で水平移動自在になっている。また、平行移動機構１０によって、ブロック１３（押圧部１７）が、非押圧位置（図１、図３で示す上昇位置）と押圧位置（図２、図４で示す位置）との間で垂直移動自在になっている。
【００５０】
常態（プロテクタ合体装置１が使用されていない状態）では、ブロック１３がＺ軸方向では上端に位置しＹ軸方向では後端に位置している。そして常態では、ブロック１３やリンク機構２７が、基台１１から離れており、基台１１の上部があいており、プロテクタ７やワイヤハーネス９の設置部１５への搬入、プロテクタ７やワイヤハーネス９の設置部１５からの搬出がしやすくなっている。
【００５１】
リンク機構２７は、レバー２９と、コネクティングメンバ４９とを備えて構成されている。「Ｌ」字状のレバー２９の中間部は、ブロック支持体４７に対して回動自在になっており、「Ｌ」字状のレバー２９の下側の端部はコネクティングメンバ４９の一端部に回動自在に係合している。コネクティングメンバ４９の他端部は、ブロック１３の上端部に回動自在に係合している。
【００５２】
これにより、ブロック支持体４７とレバー２９とコネクティングメンバ４９とブロック１３とで４リンクの限定連鎖が構成されている。レバー２９の上側の部位は、プロテクタ合体装置１のオペレータが力を加える部位になっており、レバー２９を回動させることで、ブロック１３が一定の姿勢でＺ軸方向に移動するようになっている。
【００５３】
また、リンク機構２７は、トグル機構になっている。すなわち、第１のプロテクタ構成体３の第２のプロテクタ構成体５への設置動作が進行するにしたがって（ブロック１３が下降するにしたがって）、レバー２９の下側の部位５１とコネクティングメンバ４９とがＺ軸方向の延びた直線形状に近づき、レバー２９の操作力に対する、ブロック１３を下降する力が大きくなり、第２のプロテクタ構成体５を第１のプロテクタ構成体３に設置する力（下向きの押圧力）が次第に大きくなるように構成されている。
【００５４】
これによって、比較的小さな力で、ワイヤハーネス９へのプロテクタ７の設置がなされるようになっている。
【００５５】
ここで、中間支持体４５の支持形態について説明する。
【００５６】
リニアガイドベアリング４３は、円柱状の一対のレール５３と、これらのレール５３に係合してＹ軸方向で移動自在なベアリング５５とを備えて構成されている。
【００５７】
レール５３の両端は、レール支持体５７を介して、ベース体２３に一体的に支持されている。ベアリング５５には、ブロック支持体４７が一体的に設けられている。
【００５８】
レール５３の両端部であって、一対のレール支持体５７の内側には、緩衝材である円環状のゴムリング（たとえばゴムシール部材）５９が設けられている。これにより、ブロック支持体４７がＹ軸方向で移動して移動端にきてブロック支持体４７に当接するときの衝撃をやわらげることができるようになっている。
【００５９】
また、上記常態を維持するために、マグネット（図示せず）によって、中間支持体４５がＹ軸方向後端に位置している状態が維持されるようになっている。なお、マグネットに代えてもしくは加えて、ばね等の弾性体で中間支持体４５をＹ軸方向後方に付勢し、中間支持体４５がＹ軸方向後端に位置している状態を維持するようにしてもよい。
【００６０】
次に、ブロック１３の支持形態について詳しく説明する。リニアガイドベアリング２５は、円柱状の一対のレール６１と、これらのレール６１に係合してＺ軸方向で移動自在なベアリング６３とを備えて構成されている。
【００６１】
レール６１の両端は、レール支持体６５を介して、ブロック支持体４７に一体的に支持されている。ベアリング６３には、ブロック１３が一体的に設けられている。
【００６２】
レール６１の下側部位（ベアリング６３と下側のレール支持体６５との間）には、ばね等の弾性体６７が設けられており、ブロック１３を上方に付勢している。これによって、上記常態が維持されるようになっている。
【００６３】
また、レール６１の上端部には、緩衝材である円環状のゴムリング（たとえばゴムシール部材）６９が設けられている。
【００６４】
また、ベース体２３には、干渉壁部１８が設けられている。干渉壁部１８は、基台１１の上側で基台１１に一体的に設けられている。また、干渉壁部１８は、Ｙ軸方向では、設置部１５の後方に位置しており、Ｙ軸方向では、たとえば、設置部１５と同じところに位置している。これにより、上記押圧位置（図２、図４参照）で押圧部１７の基台１１側（下側）への移動を許容し、押圧位置以外の位置では、押圧部１７の基台１１側への移動を阻止するようになっている。
【００６５】
次に、プロテクタ合体装置１を用いたワイヤハーネス９へのプロテクタ７の設置動作について説明する。
【００６６】
まず、初期状態では、図１や図３で示すように、上述した常態（プロテクタ合体装置１が使用されていない状態）になっているものとする。そして、ブロック１３がＹ軸方向後端に位置し、Ｚ軸方向上端に位置している。
【００６７】
上記初期状態で、図５（ａ）に示すワイヤハーネス９とプロテクタ７とを基台１１の設置部１５に載置する。
【００６８】
続いて、ブロック１３をＹ軸方向前端に位置させ、プロテクタ７の真上にブロック１３を位置させる。
【００６９】
続いて、レバー２９を操作し、ブロック１３を下降させる。この下降によって、押圧部１７が第２のプロテクタ構成体５に当接し、第２のプロテクタ構成体５を下方に押し、第２のプロテクタ構成体５が第１のプロテクタ構成体３に設置される。これによって、プロテクタ７のワイヤハーネス９への設置が終了する。
【００７０】
プロテクタ合体装置１によれば、押圧部１７が各プロテクタ構成体３，５同士の合体開始位置から合体完了までの押圧過程で第２のプロテクタ構成体５に対し面接触し、接触する面全体を押圧、つまり、偏荷重を作用させずに押圧するので、第２のプロテクタ構成体５と第１のプロテクタ構成体３を平行な姿勢を保持しつつ合体し、スムーズで的確な合体を行うことができる。
【００７１】
また、プロテクタ合体装置１によれば、操作部１４を回転操作することで押圧部１７を平行な姿勢の状態で移動できる。
【００７２】
また、プロテクタ合体装置１によれば、第１のプロテクタ構成体３と第２のプロテクタ構成体５のセット時等には、押圧部１７を待機位置とすることにより基台１１の真上に広い空間ができるので、作業性が良い。
【００７３】
また、プロテクタ合体装置１によれば、押圧位置以外で押圧部１７を基台１１側に移動するのを防止できるので、常に適正な押圧位置で押圧作業を行うことができる。つまり、押圧部１７が基台１１に対して不適切な位置で押圧作業を行う事態を阻止することができる。
【００７４】
また、従来のプロテクタ合体装置３０１では、第２のプロテクタ構成体３１５を第１のプロテクタ構成体３１３に設置するときにヒンジ３０７のところに大きな力が加わり、ヒンジ３０７が破損するおそれがある。
【００７５】
これに対して、プロテクタ合体装置１では、ブロック１３がリニアガイドベアリング２５によって基台１１に対しＺ軸方向で移動自在になっており、また、リンク機構２７を介してベース体２３に支持されており、リンク機構２７の所定のレバー２９を操作することで、基台１１に対してブロック１３がＺ軸方向で移動するように構成されているので、従来のプロテクタ合体装置のようにヒンジが破損するおそれが無く、耐久性が高まっている。
【符号の説明】
【００７６】
１  プロテクタ合体装置
３  第１のプロテクタ構成体
５  第２のプロテクタ構成体
１１  基台
１７  押圧部
１０  平行移動機構
１２  ガイドロッド部
１４  操作部
１６  水平移動機構
１８  干渉壁部
２７  リンク機構
【図１】
2015104271.tif 000003
【図２】
2015104271.tif 000004
【図３】
2015104271.tif 000005
【図４】
2015104271.tif 000006
【図５】
2015104271.tif 000007
【図６】
2015104271.tif 000008